(57)【特許請求の範囲】
【請求項１】
断裁機にてシートを断裁する際に生じた切り屑を回収する断裁機用切り屑回収システムにおいて、
前記断裁機に回収管を介して連結された集塵機であって、吸引駆動部を有し、前記断裁機から切り屑を吸引して集塵する前記集塵機と、
切り屑の有無が有りから無しに変わった場合、前記集塵機の吸引力を下げるように前記吸引駆動部を制御する集塵機制御部と、を備え、
前記回収管は、複数の前記断裁機に連結されており、
前記回収管は、前記断裁機側にそれぞれ配置された複数の断裁機側管部分と、複数の前記断裁機側管部分と前記集塵機との間に配置され、各々の前記断裁機側管部分を通過した切り屑を合流させて前記集塵機に案内する集塵機側管部分と、を有し、
前記回収管の前記断裁機側管部分の各々に開閉弁が設けられ、
前記断裁機側管部分の切り屑の有無が有りから無しに変わった場合、対応する前記開閉弁を閉じるように当該開閉弁を制御する弁制御部がそれぞれ設けられ、
前記集塵機制御部は、少なくとも一つの前記断裁機側管部分の切り屑の有無が有りから無しに変わった場合、前記集塵機の吸引力を下げるように前記吸引駆動部を制御することを特徴とする断裁機用切り屑回収システム。
【請求項２】
断裁機にてシートを断裁する際に生じた切り屑を回収する断裁機用切り屑回収システムにおいて、
前記断裁機に回収管を介して連結された集塵機であって、吸引駆動部を有し、前記断裁機から切り屑を吸引して集塵する前記集塵機と、
前記回収管内に設けられ、当該回収管内を通過する切り屑の量を検出する検出器と、
前記検出器により検出された切り屑の量に基づいて、前記回収管内を通過する切り屑の有無を所定時間間隔で判断する切り屑有無判断部と、
前記切り屑有無判断部による切り屑の有無の判断が有りから無しに変わった場合、前記集塵機の吸引力を下げるように前記吸引駆動部を制御する集塵機制御部と、を備え、
前記検出器は、前記回収管内を通過する切り屑の音量を検出する集音器からなり、
前記切り屑有無判断部は、前記集音器により検出された切り屑の音量に基づいて、前記回収管内を通過する切り屑の有無を判断することを特徴とする断裁機用切り屑回収システム。
【請求項３】
前記切り屑有無判断部は、前記集音器により検出された切り屑の音量が所定の値以下である場合、前記回収管内を通過する切り屑は無いと判断することを特徴とする請求項２に記載の断裁機用切り屑回収システム。
【発明の詳細な説明】
【技術分野】
【０００１】
本発明は、断裁機においてシートを断裁する際に生じた切り屑を回収する断裁機用切り屑回収システムに係り、とりわけ、消費電力を低減することができる断裁機用切り屑回収システムに関する。
【背景技術】
【０００２】
従来より、シートを所望の形状に断裁するために、搬送されているウェブ状のシートを搬送方向とこれに直交する方向とで断裁するスリッタ装置、又は、搬送されているウェブ状のシート（若しくは枚葉状のシート）を抜き型で打ち抜く型抜装置といった断裁機が知られている。断裁機においてシートを断裁する際、シートから切り屑が切り取られ、この切り取られた切り屑は、断裁機に連結された集塵機に吸引されて、回収されるようになっている。
【０００３】
ところで、近年、省エネ化に向けて、集塵機において消費される電力を低減することの要求が高まっている。
【０００４】
ここで、特許文献１には、切断風送装置（シュレッダーファン）と集塵機（耳溜室）との間に分岐ダンパーを設けて、過剰な空気を分離して切り屑（耳）を集塵機に風送する方法が開示されている。この方法を用いる場合、切り屑が必要最小限の風量で集塵機に風送され、動力が節約されるようになっている。
【先行技術文献】
【特許文献】
【０００５】
【特許文献１】特開昭６３−１０９９９８号公報
【発明の概要】
【発明が解決しようとする課題】
【０００６】
しかしながら、集塵機は、切り屑の量が少なくなった場合（例えば、段取り作業等のように断裁機は稼働しているが切り屑は発生していない場合）であっても稼働している。このため、切り屑は発生していないにもかかわらず、集塵機は所定の吸引力を発生させることとなり、集塵機において余分な電力が消費されるという問題がある。この問題は、上述した特許文献１に示す方法においても存在している。
【０００７】
本発明は、このような点を考慮してなされたものであり、消費電力を低減することができる断裁機用切り屑回収システムを提供することを目的とする。
【課題を解決するための手段】
【０００８】
本発明は、断裁機にてシートを断裁する際に生じた切り屑を回収する断裁機用切り屑回収システムにおいて、前記断裁機に回収管を介して連結された集塵機であって、吸引駆動部を有し、前記断裁機から切り屑を吸引して集塵する前記集塵機と、前記回収管内に設けられ、当該回収管内を通過する切り屑の量を検出する検出器と、前記検出器により検出された切り屑の量に基づいて、前記回収管内を通過する切り屑の有無を所定時間間隔で判断する切り屑有無判断部と、前記切り屑有無判断部による切り屑の有無の判断が有りから無しに変わった場合、前記集塵機の吸引力を下げるように前記吸引駆動部を制御する集塵機制御部と、を備えたことを特徴とする断裁機用切り屑回収システムを提供する。
【０００９】
なお、上述した断裁機用切り屑回収システムにおいては、前記回収管は、複数の前記断裁機に連結されており、前記回収管は、前記断裁機側にそれぞれ配置された複数の断裁機側管部分と、複数の前記断裁機側管部分と前記集塵機との間に配置され、各々の前記断裁機側管部分を通過した切り屑を合流させて前記集塵機に案内する集塵機側管部分と、を有し、前記回収管の前記断裁機側管部分の各々に開閉弁が設けられ、前記検出器は、前記回収管の前記断裁機側管部分の各々に配置されると共に、対応する前記開閉弁より前記断裁機側に配置され、前記検出器の各々に、前記切り屑有無判断部がそれぞれ接続され、前記切り屑有無判断部の各々に、当該切り屑有無判断部による切り屑の有無の判断が有りから無しに変わった場合、対応する前記開閉弁を閉じるように当該開閉弁を制御する弁制御部がそれぞれ接続され、前記集塵機制御部は、少なくとも一つの切り屑有無判断部による切り屑の有無の判断が有りから無しに変わった場合、前記集塵機の吸引力を下げるように前記吸引駆動部を制御する、ことが好ましい。
【００１０】
また、上述した断裁機用切り屑回収システムにおいては、前記検出器は、前記回収管内を通過する切り屑の音量を検出する集音器からなり、前記切り屑有無判断部は、前記集音器により検出された切り屑の音量に基づいて、前記回収管内を通過する切り屑の有無を判断する、ことが好ましい。
【００１１】
また、上述した断裁機用切り屑回収システムにおいては、前記切り屑有無判断部は、前記集音器により検出された切り屑の音量が所定の値以下である場合、前記回収管内を通過する切り屑は無いと判断する、ことが好ましい。
【００１２】
また、上述した断裁機用切り屑回収システムにおいては、前記検出器は、検出光を発する発光部と、前記発光部から発せられた光を受ける受光部と、を有し、前記切り屑有無判断部は、前記検出器の前記受光部の受光状態に基づいて、前記回収管内を通過する切り屑の有無を判断する、ことが好ましい。
【発明の効果】
【００１３】
本発明によれば、消費電力を低減することができる断裁機用切り屑回収システムを提供することができる。
【図面の簡単な説明】
【００１４】
【図１】図１は、断裁機の一例を示す概略図である。
【図２】図２は、本発明の実施の形態における断裁機用切り屑回収システムの一例を示す概略図である。
【図３】図３は、図２の断裁機用切り屑回収システムの詳細を示す図である。
【図４】図４は、図３の断裁機用切り屑回収システムの変形例を示す図である。
【発明を実施するための形態】
【００１５】
図面を用いて、本発明の実施の形態における断裁機用切り屑回収システムについて説明する。ここで、断裁機用切り屑回収システムは、断裁機においてシート（例えば、印刷が施された印刷シート）を断裁する際に生じた切り屑を回収するためのものである。なお、本明細書に添付する図面においては、図示と理解のしやすさの便宜上、適宜縮尺及び縦横の寸法比等を、実物のそれらから変更し誇張してある。
【００１６】
まず、断裁機１０について説明する。断裁機１０の例としては、搬送されているウェブ状のシート１を所望の形状に断裁するスリッタ装置、又は、搬送されているウェブ状のシート１（若しくは枚葉状のシート）を、抜き型を用いて所望の形状に抜く型抜き装置が挙げられる。このうちスリッタ装置として構成されている断裁機１０について図１を用いて説明する。
【００１７】
図１に示すように、断裁機１０は、搬送されているウェブ状のシート１を搬送方向に断裁する一対のスリッタ刃１１と、スリッタ刃１１より搬送方向下流側に設けられ、搬送されているウェブ状のシート１を搬送方向と直交する方向に断裁する一対の直刃１２と、を有している。これらスリッタ刃１１と直刃１２とを用いることにより、搬送されているウェブ状のシート１を所望の矩形形状（枚葉状）に断裁することができる。また、スリッタ刃１１及び直刃１２の下方には、収容部１３が設けられており、この収容部１３に、スリッタ刃１１及び直刃１２によりシート１が断裁される際に生じた切り屑２が収容されるようになっている。ここで断裁機１０により断裁されるシート１は、帯状に連続したウェブ状のシート１であり、シート１の材料としては、ナイロン、ＰＥＴ（ポリエチレンテレフタレート）、ＯＰＰ（二軸延伸ポリプロピレン）、セロハン、紙等が挙げられる。
【００１８】
次に、本実施の形態における断裁機用切り屑回収システム２０について説明する。図２に示すように、断裁機用切り屑回収システム２０は、２つの断裁機（第１断裁機１０ａ、第２断裁機１０ｂ）の収容部１３に回収管３０を介して連結され、断裁機１０ａ、１０ｂから切り屑２を吸引して集塵する集塵機４０を備えている。集塵機４０は、吸引モータ（吸引駆動部）４１を有しており、吸引モータ４１を駆動することにより吸引力を発生させて、断裁機１０ａ、１０ｂから切り屑２を吸引するようになっている。
【００１９】
本実施の形態においては、２つの断裁機１０ａ、１０ｂの収容部１３と集塵機４０とが、回収管３０によって連結されている。この回収管３０は、断裁機１０ａ、１０ｂの側にそれぞれ配置された２つの断裁機側管部分（第１断裁機側管部分３１、第２断裁機側管部分３２）と、各断裁機側管部分３１、３２と集塵機４０との間に配置された単一の集塵機側管部分３３と、を有している。このうち集塵機側管部分３３は、各断裁機側管部分３１、３２を通過した切り屑２を合流させて集塵機４０に案内するようになっている。すなわち、集塵機側管部分３３において、各断裁機側管部分３１、３２を通過した切り屑２が合流して集塵機４０に送られるようになっている。なお、回収管３０は、特に限定されるものではなく、樹脂や金属等一般的に用いられる材料により形成することができる。
【００２０】
図３に示すように、回収管３０の各断裁機側管部分３１、３２に、ダンパー（開閉弁）５１、５２が設けられている。すなわち、回収管３０の第１断裁機側管部分３１に第１ダンパー５１が設けられ、第２断裁機側管部分３２に第２ダンパー５２が設けられている。本実施の形態では、各ダンパー５１、５２は、対応する断裁機側管部分３１、３２の下流側（集塵機４０側）の端部に設けられており、断裁機側管部分３１、３２に後述する集音器６１ａ、６２ａを設置するスペースを確保している。また、各ダンパー５１、５２は、対応する断裁機側管部分３１、３２内の流路を開閉自在に構成され、後述する弁制御部８１、８２によって制御されて、開閉するように構成されている。
【００２１】
回収管３０の各断裁機側管部分３１、３２内には、回収管３０内を通過する切り屑２の量を検出する検出器（第１検出器６１、第２検出器６２）がそれぞれ設けられている。本実施の形態においては、各検出器６１、６２は、回収管３０の対応する断裁機側管部分３１、３２内を通過する切り屑２の音量を検出する集音器（第１集音器６１ａ、第２集音器６２ａ）からなっている。すなわち、回収管３０の第１断裁機側管部分３１に第１集音器６１ａが配置され、第１集音器６１ａは、第１ダンパー５１より第１断裁機１０ａの側に配置されている。また、第２断裁機側管部分３２に第２集音器６２ａが配置され、第２集音器６２ａは第２ダンパー５２より第２断裁機１０ｂの側に配置されている。このような集音器６１ａ、６２ａとしては、例えば、マイクロホンを用いることができるが、音響振動を検出することが可能であれば、これに限られることはない。
【００２２】
各集音器６１ａ、６２ａには、対応する回収管３０の断裁機側管部分３１、３２内を通過する切り屑２の有無を判断する切り屑有無判断部（第１切り屑有無判断部７１、第２切り屑有無判断部７２）が接続されている。各切り屑有無判断部７１、７２は、対応する集音器６１ａ、６２ａにより検出された切り屑２の音量に基づいて、対応する回収管３０の断裁機側管部分３１、３２内の切り屑２の有無を判断するようになっている。より具体的には、各切り屑有無判断部７１、７２は、対応する集音器６１ａ、６２ａにより検出された切り屑２の音量が所定の値以下である場合、対応する回収管３０の断裁機側管部分３１、３２内を通過する切り屑２は無いと判断する。すなわち、第１切り屑有無判断部７１は、第１集音器６１ａにより検出された切り屑２の音量が所定の値以下である場合、回収管３０の第１断裁機側管部分３１内を通過する切り屑２は無いと判断し、第２切り屑有無判断部７２は、第２集音器６２ａにより検出された切り屑２の音量が所定の値以下である場合、回収管３０の第２断裁機側管部分３２内を通過する切り屑２は無いと判断する。一方、各切り屑有無判断部７１、７２は、対応する集音器６１ａ、６２ａにより検出された切り屑２の音量が所定の値を超える場合、対応する回収管３０の断裁機側管部分３１、３２内を通過する切り屑２は有ると判断するようになっている。このように、本実施の形態では、各切り屑有無判断部７１、７２は、対応する回収管３０の断裁機側管部分３１、３２内を通過する切り屑２の音量を、当該回収管３０の断裁機側管部分３１、３２内を通過する切り屑２の量と想定し、切り屑２の有無を判断する。
【００２３】
各切り屑有無判断部７１、７２は、所定の時間間隔で、対応する集音器６１ａ、６２ａから、切り屑２の音量を示す音量信号を受信するようになっている。そして、切り屑有無判断部７１、７２は、この音量信号を受信した際に、切り屑２の有無を判断するようになっている。すなわち、各切り屑有無判断部７１、７２は、所定の時間間隔で、対応する回収管３０の断裁機側管部分３１、３２内を通過する切り屑２の有無を判断するようになっている。
【００２４】
各切り屑有無判断部７１、７２には、対応するダンパー５１、５２を制御する弁制御部（第１弁制御部８１、第２弁制御部８２）が接続されている。各弁制御部８１、８２は、対応する切り屑有無判断部７１、７２による切り屑２の有無の判断が有りから無しに変わった場合、対応するダンパー５１、５２を閉じるように当該ダンパー５１、５２を制御するようになっている。すなわち、第１切り屑有無判断部７１による切り屑２の有無の判断が有りから無しに変わった場合、第１弁制御部８１により第１ダンパー５１が閉じられ、第２切り屑有無判断部７２による切り屑２の有無の判断が有りから無しに変わった場合、第２弁制御部８２により第２ダンパー５２が閉じられる。
【００２５】
また、図２に示すように、集塵機４０の吸引モータ４１には、吸引モータ４１を制御する集塵機制御部９０が接続されている。この集塵機制御部９０は、切り屑有無判断部７１、７２のうちの少なくとも一つによる切り屑の有無の判断が有りから無しに変わった場合、集塵機４０の吸引力を下げるように吸引モータ４１を制御する。この集塵機制御部９０は、好適にはインバータを含むことができ、吸引モータ４１の回転数を調整することによって集塵機４０の吸引力を調整するようになっている。
【００２６】
具体的には、切り屑有無判断部７１、７２による切り屑２の有無の判断が有りから無しに変わった場合、判断が変わった切り屑有無判断部７１、７２は、切り屑２が無い旨の屑無信号を対応する弁制御部８１、８２及び集塵機制御部９０に送信する。
【００２７】
この場合、例えば、第１切り屑有無判断部７１による切り屑２の有無の判断が有りから無しに変わった場合、屑無信号を第１弁制御部８１及び集塵機制御部９０に送信する。この屑無信号を受信した第１弁制御部８１は、開いていた第１ダンパー５１を閉じる。また、当該屑無信号を受信した集塵機制御部９０は、集塵機４０の吸引モータ４１の回転数を低減させる。
【００２８】
なお、第２切り屑有無判断部７２による切り屑２の有無の判断が、有りで維持された場合、第２切り屑有無判断部７２は、切り屑２が有る旨の屑有信号を対応する第２弁制御部８２及び集塵機制御部９０に送信しても良い。しかしながら、この場合、この屑有信号を受信した第２弁制御部８２は、第２ダンパー５２を開いた状態に維持するように第２ダンパー５２を制御する。また、集塵機制御部９０は、当該屑有信号を集塵機４０の吸引力に反映させないように集塵機４０の吸引モータ４１を制御し、吸引モータ４１の回転数を維持させる。
【００２９】
次に、このような構成からなる本実施の形態の作用について説明する。
【００３０】
まず、断裁機１０ａ、１０ｂを稼働する。続いて、断裁機１０ａ、１０ｂにおいて、段取り作業が行われる。なお、段取り作業が行われている間、断裁機１０ａ、１０ｂから切り屑２は発生していない。
【００３１】
段取り作業が終わると、２つの断裁機１０ａ、１０ｂにおいてシート１の断裁がそれぞれ開始される。この際、集塵機４０が、オペレータの操作により稼働されて、吸引モータ４１は、２つの断裁機１０ａ、１０ｂから切り屑２を吸引するために適切な吸引力となる第１の回転数で駆動される。また、この際、各ダンパー５１、５２がオペレータの操作により開かれる。なお、段取り作業が終わる前に、吸引モータ４１を駆動すると共に各ダンパー５１、５２を開くようにしても良い。
【００３２】
シート１の断裁が行われている間、各断裁機１０ａ、１０ｂにおいて切り屑２が生じる。シート１から切り取られた切り屑２は、断裁機１０ａ、１０ｂの収容部１３に収容されて、この収容部１３から回収管３０の断裁機側管部分３１、３２及び集塵機側管部分３３を通過して、集塵機４０に集塵される。
【００３３】
この間、各切り屑有無判断部７１、７２は、所定の時間間隔で、対応する集音器６１ａ、６２ａから切り屑２の音量を示す音量信号を受信する。この音量信号を受信した切り屑有無判断部７１、７２は、対応する回収管３０の断裁機側管部分３１、３２内を通過する切り屑２の有無を判断する。そして、切り屑有無判断部７１、７２のうちの少なくとも一つによる切り屑２の有無の判断が有りから無しに変わった場合、切り屑有無判断部７１、７２は、対応する弁制御部８１、８２及び集塵機制御部９０に、切り屑２が無い旨の屑無信号を送信する。
【００３４】
例えば、ある時刻ｔ１にて、第１切り屑有無判断部７１及び第２切り屑有無判断部７２のいずれもが、対応する回収管３０の断裁機側管部分３１、３２内を通過する切り屑２が有ると判断したとする。
【００３５】
この時刻ｔ１の次のタイムステップである時刻ｔ２にて、第１切り屑有無判断部７１が切り屑２は無いと判断し、第２切り屑有無判断部７２が切り屑２は有ると判断した場合、第１切り屑有無判断部７１は、切り屑２が無い旨の屑無信号を第１弁制御部８１及び集塵機制御部９０に送信する。この屑無信号を受信した第１弁制御部８１により第１ダンパー５１は閉じられる。また、この屑無信号を受信した集塵機制御部９０により集塵機４０の吸引モータ４１の回転数が低減される。この際、吸引モータ４１の回転数は、上述した第１の回転数から、２つの断裁機１０ａ、１０ｂのいずれか一方から切り屑２を吸引するために適切な吸引力となる第２の回転数まで低減される。
【００３６】
その後、第２切り屑有無判断部７２による切り屑２の有無の判断が、有りから無しに変わった場合、第２切り屑有無判断部７２は、切り屑２が無い旨の屑無信号を第２弁制御部８２及び集塵機制御部９０に送信する。この場合、この屑無信号を受信した第２弁制御部８２により第２ダンパー５２は閉じられ、屑無信号を受信した集塵機制御部９０により集塵機４０の吸引モータ４１が停止される。
【００３７】
また、例えば、時刻ｔ２において、第１切り屑有無判断部７１及び第２切り屑有無判断部７２のいずれもが切り屑２は無いと判断した場合、第１切り屑有無判断部７１は、切り屑２が無い旨の屑無信号を第１弁制御部８１及び集塵制御部９０に送信すると共に、第２切り屑有無判断部７２は、切り屑２が無い旨の屑無信号を第２弁制御部８２及び集塵機制御部９０に送信する。この屑無信号を受信した第１弁制御部８１及び第２弁制御部８２により第１ダンパー５１及び第２ダンパー５２はそれぞれ閉じられる。また、屑無信号を受信した集塵機制御部９０により集塵機４０の吸引モータ４１が停止される。
【００３８】
なお、閉じている各ダンパー５１、５２は、オペレータの操作によって開くことができ、断裁機１０ａ、１０ｂからの切り屑２の回収をそれぞれ再開することができる。
【００３９】
このように本実施の形態によれば、切り屑有無判断部７１、７２のうちの少なくとも一つによる切り屑２の有無の判断が有りから無しに変わった場合、判断が変わった切り屑有無判断部７１、７２に対応する弁制御部８１、８２により、対応するダンパー５１、５２が閉じられる。このことにより、切り屑２が無いと判断された回収管３０の断裁機側管部分（例えば、第１断裁機側管部分３１）が、集塵機側管部分３２に対して遮蔽され、集塵機側管部分３２を他の断裁機側管部分（例えば、第２断裁機側管部分３２）のみに連通させることができる。このため、集塵機４０の吸引力を、第２断裁機１０ｂの収容部１３に収容されている切り屑２のみを吸引するために必要な吸引力に低減することができる。この結果、集塵機４０の消費電力を低減することができる。また、２つの切り屑有無判断部７１、７２による切り屑２の有無の判断が、いずれも有りから無しに変わった場合には、２つの弁制御部８１、８２により２つのダンパー５１、５２がそれぞれ閉じられ、集塵機制御部９０により集塵機４０の吸引モータ４１が停止される。このことにより、集塵機４０の消費電力をより一層低減することができる。
【００４０】
なお、上述した本実施の形態においては、検出器６１、６２が集音器６１ａ、６２ａからなっている例について説明した。しかしながら、このことに限られることはなく、検出器６１、６２は、光学的に切り屑２の量を検出するように構成されていても良い。この場合、図３に示すように、各検出器６１、６２は、検出光を発する発光部（第１発光部１０１ａ、第２発光部１０２ａ）と、対応する発光部１０１ａ、１０２ａから発せられた検出光を受ける受光部（第１受光部１０１ｂ、第２受光部１０２ｂ）とを有するように構成することができる。この場合、各切り屑有無判断部７１、７２は、対応する検出器６１、６２の受光部１０１ｂ、１０２ｂの受光状態に基づいて、対応する回収管３０の断裁機側管部分３１、３２内を通過する切り屑２の有無を判断するように構成される。例えば、切り屑有無判断部７１、７２は、受光部１０１ｂ、１０２ｂが検出光を受ける時間（すなわち、発光部１０１ａ、１０２ａから発せられた検出光が切り屑２により遮られていない時間）の割合が所定の値以上である場合、回収管３０の断裁機側管部分３１、３２内を通過する切り屑２は無いと判断するように構成することができる。
【００４１】
また、上述した本実施の形態においては、集塵機４０が２つの断裁機１０ａ、１０ｂから切り屑２を吸引して集塵する例について説明した。しかしながら、このことに限られることはなく、集塵機４０は、３つ以上の断裁機から切り屑２を吸引して集塵するようにしても良い。この場合においても、各断裁機に対応して、回収管３０の断裁機側管部分が設けられて、これに対応して検出器、ダンパー、切り屑有無判断部及び弁制御部を設けることにより、本実施の形態の作用効果と同様の作用効果を得ることができる。さらに、集塵機４０は、単一の断裁機から切り屑２を吸引して集塵するようにしても良い。この場合、ダンパー及び弁制御部は不要となり、集塵機制御部は、切り屑有無判断部による切り屑２の有無の判断が有りから無しに変わった場合、吸引モータ４１を停止して、集塵機４０の稼働を停止すれば良い。
【００４２】
以上、本発明の実施の形態について詳細に説明してきたが、本発明による断裁機用切り屑回収システムは、上記実施の形態に何ら限定されるものではなく、本発明の趣旨を逸脱しない範囲において種々の変更が可能である。
【符号の説明】
【００４３】
１        シート
２        切り屑
１０      断裁機
１０ａ    第１断裁機
１０ｂ    第２断裁機
２０      断裁機用切り屑回収システム
３０      回収管
３１      第１断裁機側管部分
３２      第２断裁機側管部分
３３      集塵機側管部分
４０      集塵機
４１      吸引モータ
５１      第１ダンパー
５２      第２ダンパー
６１      第１検出器
６１ａ    第１集音器
６２      第２検出器
６２ａ    第２集音器
７１      第１切り屑有無判断部
７２      第２切り屑有無判断部
８１      第１弁制御部
８２      第２弁制御部
９０      集塵機制御部
１０１ａ  第１発光部
１０１ｂ  第１受光部
１０２ａ  第２発光部
１０２ｂ  第２受光部
【図１】
0005987370.tif 000002
【図２】
0005987370.tif 000003
【図３】
0005987370.tif 000004
【図４】
0005987370.tif 000005